(57)【要約】【課題】ボールを出し入れするための出入口が分かりやすく、ボールの収納及び取り出しがしやすいボール保持具及びボール保持具の製造方法を提供することを目的とする。【解決手段】本発明のボール保持具１００は、周縁に複数の挿通穴が形成され、多角形状又は円形状の面材から形成される可撓性を有する面状体１と、複数の挿通穴に挿通された紐体２を備え、挿通穴は、面材における多角形状の各角部が、内側に折り返されて結合されることにより形成され、面状体１は、面材における多角形状の各辺部の中央部分が、各辺部の長さを詰めるように内側に山折りされて重ね合わされた状態で結合されることにより形成された詰め部を備える。【選択図】          図５
2018110761.tif 000002
【特許請求の範囲】
【請求項１】
ボール保持具であって、
周縁に複数の挿通穴が形成され、多角形状又は円形状の面材から形成される可撓性を有する面状体と、
前記複数の挿通穴に挿通された紐体を備える
ことを特徴とするボール保持具。
【請求項２】
前記挿通穴は、前記面材における周縁の一部が、内側に折り返されて結合されることにより形成される
ことを特徴とする請求項１に記載のボール保持具。
【請求項３】
前記面状体は、前記面材における周縁の他部の中央部分が、前記他部の長さを詰めるように内側に山折りされて重ね合わされた状態で結合されることにより形成された詰め部を備える
ことを特徴とする請求項２に記載のボール保持具。
【請求項４】
前記面材は、四角形である
ことを特徴とする請求項１から請求項３のいずれか１項に記載のボール保持具。
【請求項５】
前記紐体は、環状である
ことを特徴とする請求項１から請求項４のいずれか１項に記載のボール保持具。
【請求項６】
前記面材の周縁は、補強されている
ことを特徴とする請求項１から請求項５のいずれか１項に記載のボール保持具。
【請求項７】
ボール保持具の製造方法であって、
可撓性を有する多角形状又は円形状の面材における複数の周縁の一部をそれぞれ内側又は外側に折り返し、前記周縁の一部を前記面材の部分に当接するステップと、
前記周縁の一部における部分を、前記周縁の一部における部分に当接する前記面材の部分に結合し、前記周縁の一部と前記周縁の一部に対向する前記面材の部分との間に挿通穴を形成するステップと、
前記面材における周縁の他部の中央部分を、前記周縁の他部の長さが詰まるように内側に山折りして重ね合わせて結合して詰め部を形成するステップと、
前記挿通穴に紐体を挿通するステップと、を含む
ことを特徴とするボール保持具の製造方法。
【発明の詳細な説明】
【技術分野】
【０００１】
本発明は、ボール保持具及びボール保持具の製造方法に関するものである。
【背景技術】
【０００２】
従来、ボールを収納する収納ネットと、収納ネットに形成されたボールを出し入れするための出入口に係合し、ボールを収納ネットに収納した状態で引っ張ることにより出入口を閉塞する把持紐とを備えたボール用ネットがある（特許文献１参照）。
【先行技術文献】
【特許文献】
【０００３】
【特許文献１】特開２０１３−２８４００号公報
【発明の概要】
【発明が解決しようとする課題】
【０００４】
しかしながら、従来のボール用ネットは、ボールを出し入れするための開口部である出入口以外にも、ネット自体を構成する開口部が多く存在するので、ボール用ネットにボールを入れる際、ボールを出し入れするための出入口が何れの開口部であるかが分かりづらいため、ボールの収納及び取り出しがし難い場合がある。
本発明は、上記事情に鑑みてなされたものであり、ボールを出し入れするための出入口が分かりやすく、ボールの収納及び取り出しがしやすいボール保持具及びボール保持具の製造方法を提供することを目的とする。
【課題を解決するための手段】
【０００５】
上記目的を達成するために、以下の構成によって把握される。
（１）本発明のボール保持具は、周縁に複数の挿通穴が形成され、多角形状又は円形状の面材から形成される可撓性を有する面状体と、前記複数の挿通穴に挿通された紐体を備える。
（２）上記（１）の構成において、前記挿通穴は、前記面材における周縁の一部が、内側に折り返されて結合されることにより形成される。
（３）上記（２）の構成において、前記面状体は、前記面材における周縁の他部の中央部分が、前記各辺部の長さを詰めるように内側に山折りされて重ね合わされた状態で結合されることにより形成された詰め部を備える。
（４）上記（１）から（３）のいずれかの構成において、前記面材は、四角形である。
（５）上記（１）から（４）のいずれかの構成において、前記紐体は、環状である。
（６）上記（１）から（５）のいずれかの構成において、前記面材の周縁は、補強されている。
（７）本発明のボール保持具の製造方法は、可撓性を有する多角形状又は円形状の面材における複数の周縁の一部をそれぞれ内側又は外側に折り返し、前記周縁の一部を前記面材の部分に当接するステップと、前記周縁の一部における部分を、前記周縁の一部における部分に当接する前記面材の部分に結合し、前記周縁の一部と前記周縁の一部に対向する前記面材の部分との間に挿通穴を形成するステップと、前記面材における周縁の他部の中央部分を、前記周縁の他部の長さが詰まるように内側に山折りして重ね合わせて結合して詰め部を形成するステップと、前記挿通穴に紐体を挿通するステップと、を含む。
【発明の効果】
【０００６】
本発明によれば、ボールを出し入れするための出入口が分かりやすく、ボールの収納及び取り出しがしやすいボール保持具及びボール保持具の製造方法を提供できる。
【図面の簡単な説明】
【０００７】
【図１】紐体が一部の挿通穴に挿通され、面状体が展開した状態におけるボール保持具の平面図である。
【図２】紐体が全ての挿通穴に挿通され、面状体が袋形状を保った状態におけるボール保持具の平面図である。
【図３】面状体が袋形状を保った状態におけるボール保持具の斜視図である。
【図４】ボール保持具の出入口を拡げている状況を示す斜視図である。
【図５】ボール保持具の出入口にボールを入れている状況を示す斜視図である。
【図６】ボール保持具にボールが収納された状況を示す斜視図である。
【発明を実施するための形態】
【０００８】
（実施形態）
以下、図面を参照して本発明を実施するための形態（以下、実施形態）について詳細に説明する。なお、実施形態の説明の全体を通して同じ要素には同じ番号を付している。なお、以下の実施形態においては、面状体１を形成する面材が四角形である場合で説明するが、四角形に限らず、他の多角形であってよく、円形状（略円形や略楕円形を含む）であってもよい。
【０００９】
図１は、紐体２が一部の挿通穴３に挿通され、面状体１が展開した状態におけるボール保持具１００の平面図である。図２は、紐体２が全ての挿通穴３に挿通され、面状体１が袋形状を保った状態におけるボール保持具１００の平面図である。図３は、面状体１が袋形状を保った状態におけるボール保持具１００の斜視図である。
【００１０】
図１に示すように、ボール保持具１００は、周縁に複数の挿通穴３が形成され、多角形状の面材から形成される可撓性を有する面状体１と、複数の挿通穴３に挿通された紐体２を備える。
【００１１】
面状体１は、四角形状の平らな面材から形成される。面材は、可撓性を有し、ボール２００の保持に必要な所定の強度を有するものであり、例えば、塩化ビニル等の樹脂素材からなる。面材は、ボール２００に付着した水分が通過できる程度の大きさの網目のような小孔を有するものであってよく、そのような小孔のないものであってもよい。
網目（メッシュ）状の面材とすると、そのような面材は網目を有するので、濡れたり汚れたりしているボール２００を網目状の面材で形成された面状体１の内部に収納しても、面状体１の内部にある水分を面状体１の外部に排出し、ボール２００及び面状体１の内部の乾燥を促すことができる。
耐水性や撥水性を有する小孔のない面材とすると、そのような面材は水分や汚れを通過させないので、濡れたり汚れたりしているボール２００をそのような小孔のない面材で形成された面状体１の内部に収納しても、水分や汚れが面状体１の外部に漏れて周囲を汚すことがないという効果がある。
また、面状体１は、面材における四角形状の各辺部１２（面材における周縁の他部）の中央部分が、各辺部１２の長さを詰めるように内側に山折りされて重ね合わされた状態で結合されることにより形成された詰め部１３を備える。なお、円形状の面材から形成される面状体１である場合は、爪部１３は、面材の円周上に略均等間隔で複数設けられる。
このように面状体１には詰め部１３が形成されるので、面状体１が内側に湾曲し、立体的な袋状となる。また、面状体１には詰め部１３が形成されるので、面状体１の内部にボール２００を収納した状態であっても、辺部１２と詰め部１３とによって形成された隙間Ｇ（図２及び図６参照）から、面状体１の外部から面状体１の内部に収納されたボール２００を直接的に視認して確認できるとともに、隙間Ｇによって通気性が確保できる。なお、面材が円形状である場合は、詰め部１３は、面材における周縁の他部の中央部分が、その他部の長さを詰めるように山折りされて重ね合わされた状態で結合されることにより形成される。
なお、面材は、耐水性や撥水性や緩衝性等の複数の機能層を組み合わせて構成された多層構造であってもよい。
【００１２】
面材の周縁は、補強されている。具体的には、例えば、面材の周縁が内側又は外側に折り返され、折り返された部分が縫着又は接着等により対向する面材の部分に対して結合されている。これにより、曲げ剛性が上がるので、面状体１が袋形状を保持しやすくなるとともに、ボール２００の出し入れによるボール２００との摩擦損傷に対する耐久性が向上する。
【００１３】
挿通穴３は、面状体１を形成する面材の角部１１（面材における周縁の一部）の数に対応して、４箇所設けられる。挿通穴３は、面材における多角形状の各角部１１が、内側に折り返し辺２０を境にして折り返されて結合されることにより形成される。折り返された角部１１における端部に形成された結合部Ｂが、対向する折り返されていない面材に対して、例えば縫着や接着等により結合される。これにより、折り返された角部１１に非結合部Ｈが形成され、非結合部Ｈと非結合部Ｈに対向する折り返されていない面材との隙間が挿通穴３となる。挿通穴３には、紐体２が挿通されるので、挿通穴３の径は、紐体２の径よりも大きめの寸法となっている。なお、面材が円形状である場合は、挿通穴３は、面材における周縁の一部を内側に折り返されて結合されることにより形成される。
【００１４】
紐体２は、環状である。具体的には、紐体２は、４つの挿通穴３に１本の紐体２を順次挿通し、全ての挿通穴３に紐体２を挿通した後に、紐体２の両端部を結び合わせるなどして互いを結合することにより、図２に示すように、環状に形成される。環状に形成された紐体２の周長は、面状体１の各折り返し辺２０の長さを合計した長さより、やや長めとなっている。よって、図２に示すように、紐体２を全ての挿通穴３に挿通して環状に形成した状態では、各折り返し辺２０が寄り合って、出入口Ｗを形成する。このように、面状体１に設けられた挿通穴３に紐体２が挿通されて、紐体２が環状に形成されると、出入口Ｗが上部に形成された袋形状のボール保持具１００となる。
【００１５】
（製造方法）
上記のように構成されたボール保持具１００は、可撓性を有する多角形状又は円形状の面材における複数の角部（周縁の一部）１１をそれぞれ内側又は外側に折り返し、角部（周縁の一部）１１の部分を面材の部分に当接するステップと、角部（周縁の一部）１１の部分を、角部（周縁の一部）１１の部分に当接する面材の部分に結合し、角部（周縁の一部）１１と角部（周縁の一部）１１に対向する面材の部分との間に挿通穴３を形成するステップと、面材における多角形状の各辺部（周縁の他部）１２の中央部分を、各辺部１２の長さが詰まるように内側に山折りして重ね合わせて結合して詰め部１３を形成するステップと、挿通穴３に紐体２を挿通するステップと、を含む製造方法によって製造できる。
【００１６】
（使用方法）
以下、ボール保持具１００の使用方法の一例を、実施形態に基づいて、図３から図６を用いて説明する。
図３は、面状体１が袋形状を保った状態におけるボール保持具１００の斜視図である。図４は、ボール保持具１００の出入口Ｗを拡げている状況を示す斜視図である。図５は、ボール保持具１００の出入口Ｗにボール２００を入れている状況を示す斜視図である。図６は、ボール保持具１００にボール２００が収納された状況を示す斜視図である。
【００１７】
（１）ボール保持具１００にボール２００を入れるには、先ず、ボール保持具１００を地面等の平らな場所に置くなどして、出入口Ｗを上に向ける（図３参照）。
（２）出入口Ｗに手を添える等することにより、出入口Ｗの大きさが、ボール２００が入る大きさとなるように保持する（図４参照）。
（３）出入口Ｗにボール２００を挿入する（図５参照）。
（４）紐体２の一箇所を掴んで引き出す（図６参照）。すると、紐体２の作用により、面状体１の内側にボール２００が包まれた状態で出入口Ｗが窄まり、ボール保持具１００にボール２００が収納される。ここで、図示はしないが、紐体２の二箇所を掴んで引き出すと、一箇所を掴んで引き出した場合に比べて、引き出された紐体２の長さ（ボール保持具１００を吊り下げたときの紐体２における掴んでいる箇所から窄んだ出入口Ｗまでの距離）を略半分にできる。同様に、紐体２の三箇所を掴んで引き出すと、引き出された紐体２の長さを略１／３にでき、紐体２の四箇所を掴んで引き出すと、引き出された紐体２の長さを略１／４にできる。このように、環状の紐体２を複数の挿通穴３に挿通してボール保持具１００を構成することで、引き出された紐体２の長さを調節できる。
（５）ボール保持具１００に収納されたボール２００を取り出すときは、出入口Ｗを拡げることで、出入口Ｗの大きさがボール２００の外形より大きくなり、ボール保持具１００からボール２００を簡単に取り出せる。
【００１８】
このように、ボール保持具１００は、ボール２００を出し入れするための出入口Ｗが分かりやすいので、ボール２００の収納及び取り出しがしやすい。
【００１９】
以上、本発明の好ましい実施形態について詳述したが、本発明に係るボール保持具１００及びボール保持具１００の製造方法は上述した実施形態に限定されるものではなく、特許請求の範囲に記載された本発明の要旨の範囲内において、種々の変形、変化が可能である。
【００２０】
本発明のボール保持具１００によれば、周縁に複数の挿通穴３が形成され、多角形状又は円形状の面材から形成される可撓性を有する面状体１と、複数の挿通穴３に挿通された紐体２を備えるので、歩留まりの良い面材から簡単に袋形状のボール保持具１００を形成できる。また、ボール保持具１００には、紐体２に囲まれた大きめの出入口Ｗが形成されるので、従来のようなボール用ネットに比べて、ボール２００を出し入れするための出入口Ｗが分かりやすく、ボール２００の収納及び取り出しがしやすい。さらに、環状の紐体２における掴んで吊り下げる箇所を何箇所とするかによって、引き出された紐体２の長さを調節できる。
【００２１】
本発明のボール保持具１００によれば、挿通穴３が、面材における周縁の一部が、内側に折り返されて結合されることにより形成されるので、歩留まりの良い面材から形成できる。また、挿通穴３が補強されるとともに、出入口Ｗが補強されるので、耐久性が向上する。さらに、挿通穴３の剛性が高まることにより、面状体１の保形性が高まり、面状体１の全体が袋形状に保持されるので、出入口Ｗが分かりやすい。
【００２２】
本発明のボール保持具１００によれば、面状体１は、面材における周縁の他部の中央部分が、各辺部１２の長さを詰めるように内側に山折りされて重ね合わされた状態で結合されることにより形成された詰め部１３を備えるので、歩留まりの良い面材から形成できる。また、面状体１の保形性が高まり、面状体１の全体が袋形状に保持されるので、出入口Ｗが分かりやすい。さらに、面状体１の外部から面状体１の内部に収納された物の状態を直接的に視認して確認できる。
【００２３】
本発明のボール保持具１００によれば、面材が、四角形であるので、更に歩留まりの良い面材から形成できる。また、引き出された紐体２の長さを４段階に調節できる。
【００２４】
本発明のボール保持具１００によれば、紐体２が、環状であるので、面状体１と紐体２とが分離しないようにできる。また、引き出された紐体２の長さを、掴む箇所の数によって調節できる。
【００２５】
本発明のボール保持具１００によれば、面材の周縁は、補強されているので、摩耗損傷に対する耐久性が高まる。また、面状体１の保形性が高まり、面状体１の全体が袋形状に保持されるので、出入口Ｗが分かりやすい。
【００２６】
本発明のボール保持具１００の製造方法によれば、可撓性を有する多角形状の面材における複数の角部１１をそれぞれ内側に折り返し、角部１１の一部を面材の部分に当接するステップと、角部１１の一部を、角部１１の一部に当接する面材の部分に結合し、角部１１の他部と角部１１の他部に対向する面材の部分との間に挿通穴３を形成するステップと、面材における多角形状の各辺部１２の中央部分を、各辺部１２の長さが詰まるように内側に山折りして重ね合わせて結合して詰め部１３を形成するステップと、挿通穴３に紐体２を挿通するステップと、を含むので、可撓性を有する多角形状の面材に基づき、簡単に製造できる。
【符号の説明】
【００２７】
１００  ボール保持具
１      面状体
２      紐体
３      挿通穴
１１    角部（周縁の一部）
１２    辺部（周縁の他部）
１３    詰め部
２０    折り返し辺
２００  ボール
Ｗ      出入口
【図１】
2018110761.tif 000003
【図２】
2018110761.tif 000004
【図３】
2018110761.tif 000005
【図４】
2018110761.tif 000006
【図５】
2018110761.tif 000007
【図６】
2018110761.tif 000008